(57)【要約】給水を加熱し、蒸発し、過熱するための少なくとも１つの蒸気発生器を備え、この蒸気発生器が、給水加熱器と蒸発器と過熱器とを有し、加熱済み給水の少なくとも一部が、燃料加熱器において燃料を加熱すべく利用され、この燃料加熱器に給水入口管を経て所定の温度の給水が供給され、燃料加熱後の冷えた給水が、給水出口管により排出されるガス・蒸気複合タービン設備における燃料加熱装置に関し、これを、種々のガスタービン設備に採用でき、且つその加熱出力について所定の燃料加熱需要に迅速に経済的に適合できるように改良する。本発明に基づいて、燃料の加熱は、必要に応じて個々に接続でき燃料が順々に導かれる複数の燃料加熱段において行う。
2004515673.tif 000002
【特許請求の範囲】
【請求項１】
給水を加熱し、蒸発させ、過熱する少なくとも１つの蒸気発生器（５、６、７）を備え、該発生器（５、６、７）が、給水加熱器（１５、１６、４３、５１）と蒸発器（８、９、１０）と過熱器（１１、１２、１３）とを有し、加熱済み給水の少なくとも一部が、燃料加熱器で燃料を加熱すべく利用され、該加熱器に給水入口管（３５、３６、３７、５６、５８、７３）を経て所定温度の給水が供給され、燃料加熱後の冷えた給水が、給水出口管（５７、５９、６１、７４）により排出されるガス・蒸気複合タービン設備における燃料加熱装置において、燃料の加熱が、必要に応じて個々に接続でき燃料が順々に導かれる複数の燃料加熱段（４８、４９、５０）で行われることを特徴とする装置。
【請求項２】
給水加熱器が２つの給水加熱器部分（１５、５１）から構成され、これら両部分（１５、５１）が廃ガスに対し並列接続され、両給水加熱器部分（１５、５１）間に燃料加熱段（４９）が接続され、給水入口管（７３）が第１給水加熱器部分（１５）の出口から燃料加熱段（４９）に通じ、給水出口管（７４）が燃料加熱段（４９）から第２給水加熱器部分（５１）の入口に通じていることを特徴とする請求項１記載の装置。
【請求項３】
燃料加熱段（４８、４９、５０）が、復水加熱器（４２）、中圧給水加熱器（１５）および高圧給水加熱器（１６）のいずれかに付属することを特徴とする請求項１又は２記載の装置。
【請求項４】
３つの燃料加熱段（４８、４９、５０）を備え、第１燃料加熱段（４８）が復水加熱器（４２）、第２燃料加熱段（４９）が中圧給水加熱器（１５、５１）、第３燃料加熱段（５０）が高圧給水加熱器（１６、４３）に各々付属することを特徴とする請求項１から３の１つに記載の装置。
【請求項５】
燃料加熱段（４８）の給水入口管（５８）が、復水加熱器（４２）の下流で給水ポンプ（２４）に接続され、燃料加熱段（４８）の給水出口管（５９）が復水加熱器（４２）の上流に通じることを特徴とする請求項１から４の１つに記載の装置。
【請求項６】
燃料加熱段（４９）の給水入口管（５６）が復水加熱器（１５、５１）の下流に接続され、燃料加熱段（４９）の給水出口管（５７）が復水ポンプ（２４）の上流に通じることを特徴とする請求項１から５の１つに記載の装置。
【請求項７】
燃料加熱段（４９）の給水入口管（５６）が、中圧ドラム（１８）と中圧給水加熱器（１５、５１）との間に接続され、燃料加熱段（４９）の給水出口管（５７）が低圧ドラム（１７）に通じることを特徴とする請求項１から６の１つに記載の装置。
【請求項８】
燃料加熱段（４９）の給水入口管（５６）が中圧ドラム（１８）と中圧給水加熱器（１５、５１）との間に接続され、燃料加熱段（４９）の給水出口管（５７）が復水加熱器（４２）と低圧ドラム（１７）との間に接続されたことを特徴とする請求項１から７の１つに記載の装置。
【請求項９】
第１燃料加熱段（４８）、第２燃料加熱段（４９）および第３燃料加熱段（５０）の少なくとも１つが、第１燃料加熱段は両復水加熱器（４２）部分間に、第２燃料加熱段は両中圧給水加熱器部分（１５、５１）間に、そして第３燃料加熱段は両高圧給水加熱器部分（１６、４３）間に各々接続されたことを特徴とする請求項１から８の１つに記載の装置。
【請求項１０】
混合管（４６）が、復水ポンプ（４１）とフラップ弁（７６）との間で始まり、燃料加熱段（４８）への給水入口（７７）に通じることを特徴とする請求項１から９の１つに記載の装置。
【請求項１１】
給水ポンプ（２４）と中圧給水加熱器（１５）との間で始まる混合管（７８）が、燃料加熱段（４９）の入口（７９）で中圧給水入口管（５６）に接続されたことを特徴とする請求項１から１０の１つに記載の装置。
【請求項１２】
給水を、少なくとも１つの蒸気発生器（５、６、７）において復水加熱器（４２）で加熱し、蒸発器（８、９、１０）で蒸発させ、過熱器（１１、１２、１３）で過熱し、加熱済み給水の少なくとも一部を、燃料加熱器において燃料を加熱すべく利用し、燃料加熱器に給水入口管（３５、３６、３７、５６、５８、７３）を経て所定温度の給水を供給され、燃料加熱後の冷えた給水を、給水出口管（５７、５９、６１、７４）により排出する、特に請求項１から１１の１つに記載の装置により、ガス・蒸気複合タービン設備の燃料を加熱する方法において、燃料の加熱を、必要に応じて個々に接続でき燃料が順々に導かれる複数の燃料加熱段（４８、４９、５０）において行うことを特徴とするガス・蒸気複合タービン設備における燃料加熱方法。
【請求項１３】
給水をまず第１給水加熱器部分（１５）を経て導き、続いて、給水入口管（７３）を経て燃料加熱段（４９）に導き、給水出口管（７４）および第２給水加熱器部分（５１）を経て導き、両給水加熱器部分（１５、５１）を廃ガスに対し並列接続することを特徴とする請求項１２記載の方法。
【請求項１４】
復水加熱器（４２）からの給水を第１燃料加熱段（４８）を経て導き、中圧給水加熱器（１５、５１）からの給水を第２燃料加熱段（４９）を経て導き、高圧給水加熱器（１６、４３）からの給水を第３燃料加熱段（５０）を経て導くことを特徴とする請求項１２又は１３記載の方法。
【発明の詳細な説明】
【０００１】
本発明は、給水を加熱し、蒸発させ、過熱するための少なくとも１つの蒸気発生器を備え、該発生器が、給水加熱器或いは復水加熱器と蒸発器と過熱器とを有し、加熱済み給水の少なくとも一部を燃料を加熱すべく利用し、燃料加熱器に給水入口管を経て所定温度の給水を供給し、燃料加熱後の冷えた給水を給水出口管により排出するガス・蒸気複合タービン設備の燃料加熱装置に関する。
【０００２】
蒸気タービンを駆動する蒸気を用意すべく、給水を加熱し、蒸発させ、高圧下で過熱する。これは通常、複数の蒸気発生段で行われ、一般には低圧蒸気発生段、中圧蒸気発生段および高圧蒸気発生段で行われる。その各蒸気発生段は、給水加熱器或いは復水加熱器、蒸気発生器および過熱器から成っている。給水ポンプにより搬送される給水を、各圧力段に付属するドラム（気水分離器）に流入する前に、給水加熱器或いは復水加熱器で沸騰温度に加熱し、一部を蒸発させる。そして、ドラムに接続された蒸発器で飽和蒸気を発生させる。ドラムの蒸気範囲に接続された過熱器は、飽和蒸気に飽和蒸気圧の上昇なしに熱を導入する。その飽和蒸気を、各々の蒸気圧力に対応した蒸気タービン部分（低圧・中圧・高圧タービン部分）に導く。蒸気発生段への熱の供給は、ガス・蒸気複合タービン設備の場合、ガスタービンの高温廃ガスにより行う。また中圧蒸気発生段で、高圧タービン部分から取り出した排気蒸気を、過熱済み中圧蒸気に混入させ、再熱器でもう一度加熱して、中圧タービン部分に導入する。或いはまた、蒸気を相応の蒸気タービン部分に導入すべく、蒸気タービン復水器にも導入する。そして復水ポンプが復水器で生ずる復水を復水加熱器に搬送することで、水・蒸気回路を形成する。ガス・蒸気複合タービン設備におけるガスタービン用ガスを発生するためのエネルギ或いは蒸気タービンの蒸気発生器に対する追加的な熱を発生するためのエネルギを用意すべく、燃料、例えば天然ガスを燃焼させる。この燃焼を効果的に行うため、燃料を予熱する。その燃料の予熱は、燃料加熱器により行う。そのため、例えば既に加熱した中圧給水の一部を、中圧給水加熱器の下流で中圧ドラムに流入する前に分岐し、燃料と熱交換しながら導き、復水ポンプと復水加熱器との間で再び水・蒸気回路に導入する。その際、燃料は２００℃迄の温度に達する。或いはまた、中圧給水が中圧給水加熱器に流入する前に早くも分岐させる。その場合、約１４０〜１６０℃の燃料温度が得られる。
【０００３】
上述の燃料加熱方式の場合、燃料加熱器を高圧用に設計せねばならず、そのため、燃料加熱器は温度変化に敏感となり、高い製造費と点検費を要する欠点がある。また、最新のガスタービン設備でも、燃料の２００℃迄の実行可能な加熱は、大きな加熱時に、例えば所謂「燃焼器うなり音」の問題を伴い、殆ど利用できない。そのため、敷設形の高価な加熱系統は、従来殆ど採用されていない。
【０００４】
本発明の課題は、冒頭に述べた形式の燃料加熱装置を、種々のガスタービン設備に採用でき、且つその加熱出力について所定の燃料加熱需要に迅速・経済的に適合できるよう改良することにある。
【０００５】
この課題は、燃料の加熱を、必要に応じ個々に接続でき燃料が順々に導かれる複数の燃料加熱段において行うことで解決される。
【０００６】
本発明に基づく装置により、計画および実現において反復性のある高い標準化度が得られる。必要に応じて採用できる複数の燃料加熱段から構成することで、燃料加熱段の数と配置および蒸気発生器への接続に応じて、種々の温度範囲が段階的に形成できる。従って、モジュール構造が可能となり、この燃料加熱装置は種々のガス・蒸気複合タービン設備に対して採用でき、或いはまた、単純な変更により適合できる（モジュール効果）。
【０００７】
燃料の加熱を第１段で、例えば復水循環により行う場合、次のことが当てはまる。給水加熱器を２つの部分から構成し、これら部分を廃ガスに対し並列接続し、両給水加熱器部分間に燃料加熱段を接続し、給水入口管を第１給水加熱器部分の出口から燃料加熱段に連結し、給水出口管を燃料加熱段から第２給水加熱器部分の入口に通じさせることで、全給水量を燃料加熱に利用する。この燃料加熱装置の場合、全給水量をまず給水加熱器の第１部分を貫流させ、加熱し、それから、燃料加熱段を貫流させ、この加熱段で、それ以前に吸収した熱を全部或いは一部放出させる。そして、冷えた給水を第２給水加熱器部分を貫流させ、そこで再加熱する。このため、給水分岐の際に生ずる、絞りに基づく損失は発生しない。また僅かなポンプ動力しか必要ない。更に、給水の補助的な循環が行う必要がない利点がある。その結果、燃料加熱段の効率が向上する。
【０００８】
燃料加熱段が、復水加熱器、中圧給水加熱器又は高圧給水加熱器に付属することで、燃料の加熱時、燃料温度を必要に応じ所望の温度できる。この結果、給水加熱段の種々の圧力と温度範囲を、補助的な処置なしに、燃料加熱に同時に利用できる。特に、加熱需要に応じ、種々の段を組み合わせることができる。
【０００９】
３つの燃料加熱段を設け、第１燃料加熱段を復水加熱器、第２燃料加熱段を中圧給水加熱器、第３燃料加熱段を高圧給水加熱器に各々付属させると、蒸気発生器における給水エネルギを特に有利に利用できる。これにより、燃料は段階的に優しく非常に高い温度に加熱できる。ただ同時に、燃料加熱段を各々作用する圧力と温度に合わせて設計する必要がある。従って、低い圧力段の場合、安価に設計でき、安全性が制限されず、費用が節約できる。
【００１０】
燃料加熱段の給水入口管が復水加熱器の下流で給水ポンプに接続され、燃料加熱段の給水出口管が復水加熱器の上流に通じていることで、給水ポンプにより与えられる圧力に基づいて、補助的な復水帰還ポンプは不要である。
【００１１】
燃料加熱段の給水入口管を復水加熱器の下流、同給水出口管を復水ポンプの上流に各々つなぐと、低圧レベル、例えば約４〜５バール迄の絞りは不要となる。
【００１２】
燃料加熱段の給水入口管を中圧ドラムと中圧給水加熱器との間に接続し、燃料加熱段の給水出口管を低圧ドラムに連通させると蒸発は僅かとなる。
【００１３】
第１燃料加熱段、第２燃料加熱段および第３燃料加熱段の少なくとも１つを、第１燃料加熱段は両復水加熱器部分間に、第２燃料加熱段は両中圧給水加熱器部分間にそして第３燃料加熱段は両高圧器加熱器部分間に各々接続することで、補助的に給水を循環する必要がなくなる利点がある。
【００１４】
混合管が復水ポンプとフラップ弁との間で始まり、燃料加熱段への給水入口に通じていることで、小さな温度勾配によるゆっくりした始動が保障される。混合された低温給水の量は、連続して調整でき、これにより、温度を制御できる。
【００１５】
給水ポンプと中圧給水加熱器との間で始まる混合管を、燃料加熱段の入口で中圧給水入口管に接続することで、中圧燃料加熱器における制御始動が行える。
【００１６】
本発明の目的は、給水を、少なくとも１つの蒸気発生器で復水加熱器又は復水加熱器で加熱し、蒸発器で蒸発させ、過熱器で過熱し、加熱済み給水の少なくとも一部を燃料加熱器で燃料を加熱すべく利用し、燃料加熱器に給水入口管を経て所定温度の給水を供給し、燃料加熱後の冷えた給水を給水出口管により排出するガス・蒸気複合タービン設備における燃料加熱方法を改善することにある。
【００１７】
従って本発明の課題は、種々のガスタービン設備に採用でき、燃料加熱器の加熱出力が所定の燃料加熱需要に迅速に経済的に合わせられる、ガス・蒸気複合タービン設備の燃料加熱方法を提供することにある。
【００１８】
この方法に関する課題は、燃料の加熱を、必要に応じて個々に接続でき燃料を順々に導く複数の燃料加熱段で行うことで解決できる。燃料の段階的な加熱により、燃料加熱温度を設備の要求に、柔軟に、最適に、且つ安価に適合できる。これは、採用する構成要素を全て圧力要件および温度要件に同時に合わせる必要がなく、各々局所的に実際に合わせるだけでよいからである。
【００１９】
給水をまず第１給水加熱器部分を経て導き、次に燃料加熱段に導き、第２給水加熱器部分を経て導き、両給水加熱器部分を廃ガスに対し並列接続することで、まず給水を直接所望の温度に加熱し、加熱済みの全給水量を、燃料を加熱すべく利用できる。そして冷えた給水を、第２給水加熱器部分で再び加熱する。時間のかかる、迂回による絞りや万一の熱損失に基づく圧力損失は生じない。
【００２０】
復水加熱器からの給水を第１燃料加熱段、中圧給水加熱器からの給水を第２燃料加熱段そして高圧給水加熱器からの給水を第３燃料加熱段を経て各々導くことで、給水の個々の温度・圧力状態を有効に利用し、個々の燃料加熱段を各段の要件に合わせるだけで足り、個の結果費用を節減できる（モジュール構造）。
【００２１】
以下図示の実施例を参照して本発明を詳細に説明する。
【００２２】
図１は、ガス・蒸気複合タービン設備を概略的に示す。蒸気タービン１は３つのタービン段、即ち低圧蒸気段２、中圧蒸気段３および高圧蒸気段４からなる。各タービン段２、３、４への蒸気の供給は３つの蒸気発生器５、６、７、即ち低圧蒸気発生器５、中圧蒸気発生器６および高圧蒸気発生器７により行われる。
【００２３】
各蒸気発生器５、６、７は原理的に同様に構成してある。蒸気発生器５、６、７は、各々蒸発器８、９、１０、過熱器１１、１２、１３、復水加熱器４２或いは給水加熱器１５、１６、復水および給水蒸気が集められるドラム（気水分離器）１７、１８、１９、並びにこの実施例の場合はガスタービン２１の廃ガスにより供給される熱源２０から成っている。
【００２４】
給水をまず復水加熱器４２で加熱する。続いて、その給水の一部を分岐し、低圧給水入口管３５を経て低圧ドラム１７に導く。残りの給水は給水ポンプ２４により中圧給水入口管３６を経て中圧ドラム１８にそして高圧給水入口管３７を経て高圧ドラム１９に導く。各ドラム１７、１８、１９からの給水から、まず低圧蒸発器８、中圧蒸発器９から高圧蒸発器１０において、飽和蒸気を発生させる。その場合、低圧蒸気発生器５において低圧過熱器１１が続き、そこで飽和蒸気を所望の過熱温度に加熱する。低圧蒸気タービン入口管２５が、低圧過熱器１１から蒸気を低圧タービン段２に供給するか、バイパス運転の際、低圧蒸気バイパス管４０を経てタービン復水器２３に供給する。そのタービン復水器２３で蒸気を凝縮させ、復水ポンプ４１により復水加熱器４２に導く。中圧蒸気発生器６において、給水をまず中圧給水加熱器１５で加熱し、続いて、中圧蒸発器９で飽和蒸気を発生させ、この飽和蒸気を中圧過熱器１２に導く。その過熱蒸気を、続いて高圧タービン部分４から出る蒸気を案内する高圧タービン出口管２８に導き、中圧再熱器２２で中圧蒸気と共に再び過熱し、続いて、中圧タービン入口管２６を経て蒸気タービン１の中圧蒸気段３に導く。或いはまた、中圧蒸気を中圧蒸気バイパス管３９を経てタービン復水器２３に導入する。高圧蒸気発生器７に導入した給水を、まず高圧給水加熱器１６で加熱し、その後でもう１つの高圧給水加熱器４３で加熱する。高圧蒸発器１０で発生した飽和蒸気を、高圧過熱器１３の２つの段で過熱し、高圧タービン入口管２７を経て蒸気タービン１の高圧蒸気段４に導入する。或いはまた、高圧蒸気バイパス管２９を経て高圧タービン入口管２７から高圧タービン出口管２８に蒸気を導く。全てのドラム１７、１８、１９からのドラム水を、低圧ドラム出口管３２、中圧ドラム出口管３３から高圧ドラム出口管３４を経て共通のタンク３８に送る。また、過熱済み中圧蒸気と過熱済み高圧蒸気を、中圧タービン入口管２６又は高圧タービン入口管２７に組み込んだ中圧蒸気冷却器３０又は高圧蒸気冷却器３１（噴射冷却器）において、給水ポンプの下流で取り出した給水の導入により冷却する。
【００２５】
また、通常の配管には、蒸気流或いは給水流を制御できるように、電動弁或いはフラップ弁を組み込んでいる。
【００２６】
ガスタービン２１を運転するガスを発生するには、燃料、例えば天然ガスや燃料油が必要である。その燃料を加熱すべく、従来は図１に示すように、中圧蒸気発生器６からの加熱済み給水を利用していた。給水は中圧給水加熱器１５での加熱後に、燃料加熱器４４に導かれる。燃料加熱器４４で対向流式熱交換原理に基づき、熱エネルギが給水から燃料に伝達される。そこで冷えた給水は復水加熱器４２の上流で給水回路に再び供給される。燃料の加熱中、給水は６０〜８０℃に冷却され、燃料は２００℃迄加熱される。この大きな加熱量は、燃料が大きく加熱された際にガスタービン２１の燃焼器における燃焼時に所謂「燃焼器うなり音」が生ずるような問題があるために、常に十分には利用できない。
【００２７】
図２は、本発明に従う燃料加熱段４８を示す。復水加熱器４２で加熱された給水が、高圧給水ポンプの抽出口から低圧給水を取り出す低圧給水入口管５８を経て燃料加熱段４８に導かれる。該給水は燃料加熱段４８での熱交換で燃料を加熱した後、低圧給水出口管５９を経て復水加熱器４２の上流に導かれる。低圧給水入口管５８に、給水の貫流を遮断又は調整できるように、電動調整装置付きの弁６３を設けている。過圧による損傷から保護すべく、リリーフ弁（圧力調整弁）４５が存在する。小さな温度勾配で優しく始動すべく混合管４６を設けている。この混合管４６は復水加熱器４２の上流で、しかも燃料加熱により冷えた給水の導入個所６５の上流で始まっている。混合管４６は燃料加熱段４８の上流に開口し、調整可能な弁６４を有する。また、全燃料加熱段４８は、必要に応じ採用できるよう、低圧給水入口管５８、低圧給水出口管５９および混合管４６と共に追加装備系を形成している。低圧給水入口管５８および低圧給水出口管５９と並行に、給水並行管６６が給水ポンプ２４から復水加熱器４２迄延びている。この並行管６６に弁６８の他に絞り４７が設けられ、この絞り４７で、燃料加熱器を迂回する際、高い給水圧力を復水系統のレベルに下げられる。
【００２８】
図３ａは、２つの燃料加熱段４８、４９を備えたガス・蒸気複合タービン設備の配管系統の一部を示す。低圧燃料加熱段４８は図２で述べた如く付けてある。加熱段４８で加熱された燃料は、続いて第２燃料加熱段、即ち中圧加熱段４９に送られる。この加熱段４９は、中圧給水加熱器１５、５１の下流で取り出した給水を、中圧給水入口管５６を経て供給される。中圧給水加熱器１５、５１は、直列接続の２つの部分１５、５１からなる。第１中圧給水加熱器部分１５の上流で取り出した低温給水を、第２中圧給水加熱器部分５１の上流に導入することで、第２中圧給水加熱器部分５１における蒸発が防止される。これは特に流量が少ない、例えば中圧燃料加熱段４９が運転されていないときに重要である。中圧ドラム１８と中圧給水入口管５６の接続点との間に絞り５４が設けられている。その目的は、蒸気発生時の圧力せき止めにより中圧加熱器５１で蒸発が起るのを防止することにある。更に蒸気泡分離器７１が存在する。その機能について図３ｂを参照して後述する。優しく始動すべく、燃料加熱段４９の上流で三方弁６８により、中圧給水加熱器部分１５に開口する入口管６９を経て、低温給水を供給できる。燃料加熱段４９の下流の冷えた給水は、給水ポンプ２４の上流に開口する中圧給水出口管５７を経て排出される。この中圧給水出口管５７は、過圧を防止するためのリリーフ弁５３を備える。ただ復水加熱圧力、例えば２５〜３０バールに対して設計せねばならない。燃料加熱を望まない場合、燃料加熱段４８、４９への給水入口管は、必要に応じ複数の弁７０により遮断する。
【００２９】
図３ｂは、蒸気泡分離器７１を詳細に示す。例えば給水温度や圧力が低下し、給水内で蒸気が過飽和状態になると、蒸発が生ずる。蒸気泡分離器７１により、中圧給水加熱器部分５１からの給水の流速が低下し、場合により蒸気泡が真上に上がり、中圧ドラム１８に運ばれる。蒸気泡を含まない給水が蒸気泡分離器下部７２に集まり、ここから中圧給水入口管５６を経て燃料加熱段４９に送られる。
【００３０】
図３ｃは、２つの燃料加熱段４８、４９を備えたガス・蒸気複合タービン設備の配管系統の一部を示す。第１燃料加熱段４８は図３ａにおける燃料加熱段に相当する。第２燃料加熱段４９の中圧給水出口管６１／６２は低圧ドラム１７に延びている。この場合、給水が熱くなっており、多少の蒸発問題が生ずる。
【００３１】
図４は、２つの燃料加熱段４８、４９を備えたガス・蒸気複合タービン設備の配管系統の一部を示す。中圧給水加熱器は２つの部分１５、５１からなり、これら給水加熱器部分１５、５１は廃ガスに対し並列接続されている。燃料加熱段４９は両中圧給水加熱器部分１５、５１間に接続され、給水入口管７３は第１給水加熱器部分１５の出口から燃料加熱段４９に導かれ、燃料加熱段４９からの給水出口管７４は第２給水加熱器部分５１の入口に導かれている。燃料加熱段４９に対し並行してバイパス管７５が設けられている。給水は、燃料加熱段４９を通って流れる必要がないとき、バイパス管７５を経て導かれる。
【００３２】
図５は、３つの燃料加熱段４８、４９、５０を備えたガス・蒸気複合タービン設備の配管系統の一部を示す。第１燃料加熱段４８は、中圧給水加熱器１５の上流の範囲から給水を受ける。第２燃料加熱段４９は両中圧給水加熱器部分１５、５１間に接続され、第３燃料加熱段５０は両高圧給水加熱器部分１６、４３間に接続されている。その際、燃料は第１燃料加熱段４８で約１３０〜１５０℃に加熱され、第２燃料加熱段４９で２００〜２２０℃に加熱され、第３燃料加熱段５０で約３００℃に加熱される。燃料加熱器は各々給水バイパス管８０、８１、８２により必要時にバイパスされる。
【図面の簡単な説明】
【図１】
ガス・蒸気複合タービン設備の概略構成図。
【図２】
燃料加熱段の概略構成図。
【図３】
ａは２つの燃料加熱段から成る燃料加熱器の概略構成図、ｂは気水分離装置の詳細図、ｃは２つの燃料加熱段から成る燃料加熱器の異なった例の概略構成図。
【図４】
２つの燃料加熱段から成る燃料加熱器の概略構成図。
【図５】
３つの燃料加熱段の概略構成図。
【符号の説明】
１  蒸気タービン、５〜７  蒸気発生器、８〜１０  蒸発器、１１〜１３  過熱器、１５、１６、５１  給水加熱器、１７〜１９  ドラム、２４、４１  ポンプ、４２、４３  加熱器、４６  混合管、４８〜５０  燃料加熱段、５６  給水入口管、６１  給水出口管、７６  フラップ弁、７７  入口
【国際公開パンフレット】
2004515673.tif 000003
2004515673.tif 000004
2004515673.tif 000005
2004515673.tif 000006
2004515673.tif 000007
2004515673.tif 000008
2004515673.tif 000009
2004515673.tif 000010
2004515673.tif 000011
2004515673.tif 000012
2004515673.tif 000013
2004515673.tif 000014
2004515673.tif 000015
2004515673.tif 000016
2004515673.tif 000017
2004515673.tif 000018
2004515673.tif 000019
2004515673.tif 000020
2004515673.tif 000021
2004515673.tif 000022
2004515673.tif 000023
2004515673.tif 000024
2004515673.tif 000025
2004515673.tif 000026
2004515673.tif 000027
【国際調査報告】
2004515673.tif 000028
2004515673.tif 000029
2004515673.tif 000030
2004515673.tif 000031